(57)【特許請求の範囲】
【請求項１】
複数のターミナルが装着された絶縁性のハウジングと、
一端及び他端を有し、一端が前記ハウジングにヒンジ部を介して結合され、他端が前記ヒンジ部を中心に回動可能に設けられ、前記他端側にカードを挿入するためのカード挿入口を有するシェルと、を備え回路基板に装着されるカードコネクタであって、
前記シェルは、前記ハウジングに対し、前記ヒンジ部を中心に、カードと前記回路基板との導通を可能とするセット位置及びカード着脱を可能とする挿抜位置の間で回動可能とされ、
前記ターミナルは、前記ハウジングに片持ち梁状に装着されると共に、その自由端部分には、前記シェルがカードのセット位置に回動された状態にあるときに前記回路基板に接触し、前記シェルがカードの前記挿抜位置に回動された状態にあるときに前記回路基板から離れる接点部を有するカードコネクタ。
【請求項２】
前記各ターミナルの先端部分は、折り返されて接触片が設けられ、
前記先端部分のうち、この接触片の直下に位置する箇所には、前記接点部が設けられている請求項１記載のカードコネクタ。
【請求項３】
前記シェルが導電性の金属板で形成されると共に、前記シェルには、前記各ターミナルの少なくとも一つに接触して、シェルの他端とハウジングとの間隔を一定に保持するばね片が、前記シェルからの切り起こし片で形成されている、請求項１又は２記載のカードコネクタ。
【請求項４】
前記ばね片が、前記シェルの幅方向に間隔をおいて複数設けられている、請求項３記載のカードコネクタ。
【請求項５】
前記各ターミナルは、グランドターミナル及び信号ターミナルを有し、前記ばね片は前記グランドターミナルと接触している、請求項３記載のカードコネクタ。
【請求項６】
前記ハウジングとシェルの間に、シェルの他端が前記挿抜位置を越えて回動するのを規制するストッパが設けられている、請求項１又は２記載のカードコネクタ。
【請求項７】
複数のターミナルが装着された絶縁性のハウジングと、
一端及び他端を有し、一端が前記ハウジングにヒンジ部を介して結合され、他端が前記ヒンジ部を中心に回動可能に設けられ、前記他端側にカードを挿入するためのカード挿入口を有するシェルと、を備え回路基板に装着されるカードコネクタであって、
前記シェルは、前記ハウジングに対し、前記ヒンジ部を中心に、カードと前記回路基板との導通を可能とするセット位置及びカード着脱を可能とする挿抜位置の間で回動可能とされ、
前記ハウジングに装着された複数のターミナルは、前記カードの挿入された状態において、シェルの他端がカードの挿抜位置からセット位置へ回動する途中でカードのコンタクトに接触し、
さらに、前記ターミナルは、前記ハウジングに片持ち梁状に装着されると共に、その自由端部分には、前記シェルがカードのセット位置に回動された状態にあるときに前記回路基板に接触し、前記シェルがカードの挿抜位置に回動された状態にあるときに前記回路基板から離れる接点部を有するカードコネクタ。
【請求項８】
前記各ターミナルは、グランドターミナルと、信号ターミナルと、検出ターミナルとを有し、前記カードのコンタクトが最初に前記グランドターミナルに接触し、次に前記信号ターミナルに接触し、最後に検出ターミナルと接触する、請求項７に記載のカードコネクタ。
【請求項９】
前記シェルは、導電性の金属板で形成されていると共に、前記シェルからの切り起こし片で形成されたばね片を有する、請求項８記載のカードコネクタ。
【請求項１０】
前記ばね片は、前記グランドターミナルに接触してシェルの他端を前記挿抜位置に保持するばね片である、請求項９記載のカードコネクタ。
【請求項１１】
前記シェルには、シェルの一部がシェル内部に突出し、シェル内へのカード誤挿入時のカードの進入を制限するカード誤挿入防止部が設けられている、請求項７記載のカードコネクタ。
【請求項１２】
前記ヒンジ部は、ハウジングの側面から突出する軸ピンと、前記シェルから突出し、前記軸ピンが貫通するピン穴を有するアーム部とを備え、前記ハウジングを回路基板に固定するビスの頭部は、前記アーム部が前記軸ピンから離脱するのを阻止するストッパ部材を兼ねている、請求項７記載のカードコネクタ。
【発明の詳細な説明】
【０００１】
【発明の属する技術分野】
本発明は、小型で薄型のカード形デバイスを接続するカードコネクタに関する。特に、ハウジングに装着される各ターミナルの保護や静電気対策、カードと各ターミナルとの接触タイミング等に配慮したコネクタの技術に関する。
【０００２】
【従来の技術】
ＯＡ機器や通信機器等の電子機器では、メモリカードの使用が普及している。このメモリカードは、電子機器内に装備したコネクタ（カードコネクタ）に挿入することにより、その電子機器の回路と接続される。
【０００３】
このカードコネクタでは、コネクタに蓄積した電荷により、カードの記憶内容が破壊される恐れがある。この問題は、カードと電子機器の回路との間に静電気的電位の差がある状態で、カードをコネクタに挿入した場合に生じやすい。
【０００４】
そこで、従来から、コネクタ側に静電気事故対策用の端子を設けている。これは、コネクタにカードを差し込む際に、カードの電気接点とコネクタのターミナルとが接触する前に、カードのグランドと電子機器の回路のグランドとの同電位化を図る方法である。これにより、カードを含む回路の静電気事故を未然に防止している。
【０００５】
特許第２８９９９４７号公報、特開平８−８８０５９号公報には、こうした静電気事故対策用の端子を設けたカードコネクタの技術が記載されている。前者のアース端子付きコネクタでは、カード表面に帯電した静電気をコネクタ搭載基板へと逃がすための表裏同一形状としたアース端子を備えた技術が記載されている。後者のメモリカード用コネクタでは、メモリカードの表面又は裏面に接触する接触片と、メモリカードの側面に接触する接触片と、回路端子に接触する接触片とを備える接地金具を取り付けることで、部品点数を少なくした技術が記載されている。
【０００６】
一方、特許第３０８６２０９号公報には、コネクタ側の各ターミナル及びカード側のコンタクトの摩耗や損傷を防止するために、カードを装着するカバーを開閉式に構成した技術が記載されている。
【０００７】
【発明が解決しようとする課題】
カードコネクタの中でも、特に近年において注目されている、マルチ・メディア・カード用のコネクタにおいては、長さ数センチ程度のメモリスティックを含む、より小型のカードが用いられている。そのため、このタイプのカードコネクタでは、これを搭載する電子機器（例えばモバイルコンピュータ、デジタルカメラ、携帯型デジタルビデオカメラ等）の小型化、軽量化に寄与するために、カードコネクタ自体のさらなる小型化、及び薄型化が要求されている。
【０００８】
しかし、従来のカードコネクタでは、次のような問題があった。
▲１▼  コネクタ自体の小型化、薄型化の要求に十分に対応できないこと。
▲２▼  ハウジングやシェルに、静電気事故対策用の端子を別途に設けなければならないこと。
▲３▼  ハウジングに対してシェルを開閉可能に構成するためには、両者間に開閉機構や位置決め機構を設ける必要があり、部品点数が多くなること。
【０００９】
ここで、▲１▼の問題については、▲２▼の問題及び▲３▼の問題も関係している。▲２▼の問題については、コネクタの部品点数が増加し、その分、小型化、薄型化を図り難い。▲３▼の問題については、ターミナルやコンタクトの摩耗、損傷を防止できる反面、部品点数が増加し、コネクタの小型化、薄型化を図り難い。
【００１０】
一方、従来のカードコネクタでは、各ターミナルのテール部分を回路基板に半田付けして各ターミナルと回路基板との導通を図る方法が普通に採用されている。しかし、この方法では、回路基板に対するコネクタ実装後の半田付け部を検査する必要があった。例えば半田のリフロー技術で半田付けする方法では、各ターミナルの先端部分にバラツキ（不揃い）がある場合、半田付け不良箇所が発生する恐れがあるからである。
【００１１】
本発明の課題は、小型化、薄型化のニーズに対応しつつ、カードの静電気事故防止機能を効果的に発揮させることができ、接触部の耐久性向上並びにコネクタの生産性向上等にも配慮したカードコネクタを提供することにある。
【００１２】
【課題を解決するための手段】
本発明のカードコネクタは、複数のターミナルが装着された絶縁性のハウジングと、一端及び他端を有し、一端が前記ハウジングにヒンジ部を介して結合され、他端が前記ヒンジ部を中心に回動可能に設けられたシェルと、前記シェルの他端側に設けられ、シェル内へカードを挿入するためのカード挿入口と、前記シェルに設けられ、前記各ターミナルの少なくとも一つに接触してシェルの他端とハウジングとの間隔を一定に保持するばね片と、を備える。
【００１３】
本発明によれば、シェルに設けられたばね片が、各ターミナルの少なくとも一つに接触してシェルの他端とハウジングとの間隔を一定に保持する。ばね片がターミナルに接触することで、ばね片の反発力とターミナルの反発力の両方を機能させて、シェルの他端とハウジングとの間隔を一定に保持することができる。また、ばね片が接触するターミナルをグランドターミナルとすれば、カードの静電気事故防止機能を確実かつ効果的に発揮させることができる。また、ヒンジ部を中心にしてシェルの他端が回動することで、コネクタのターミナルとカードとが接触する。その結果、接触部の耐久性向上にも配慮することができる。
【００１４】
前記シェルの他端は、前記カードの装着位置に対応するセット位置と、カードの挿抜位置に対応するオフセット位置との間で回動可能であることが望ましい。セット位置とオフセット位置との間でシェルの他端を回動させることで、シェルの回動範囲を、カードのセットとオフセットに必要な最小の範囲に制限することができる。これにより、小型化、コンパクト化を図りやすくなる。
【００１５】
前記シェルが導電性の金属板で形成され、前記ばね片が前記シェルからの切り起こし片で形成されていることが望ましい。ばね片をシェルからの切り起こし片で形成することで、ばね片を別部材とする場合に比べて、構成及び製作を簡素化することができる。
【００１６】
前記ばね片は、前記シェルの幅方向に間隔をおいて複数設けられていることが望ましい。このように構成すれば、シェルを複数のばね片で確実かつ安定に支持することができる。
【００１７】
前記各ターミナルは、グランドターミナル及び信号ターミナルを有し、前記ばね片は前記グランドターミナルと接触していることが望ましい。このようにすれば、ばね片を介してシェルをグランドターミナルに常時接触させておくことができる。これにより、常にシェルをグランドターミナルと同電位にすることができる。
【００１８】
前記各ターミナルには、前記カードを挿入したシェルの他端が前記セット位置にあるとき、前記ハウジングを搭載した回路基板に導通する接点部が設けられていることが望ましい。このように構成した場合、シェルにカードを挿入する操作と、シェルの他端をセット位置に回動させる操作とで、ターミナルと回路基板とを導通させることができる。従って、ターミナルと回路基板とを導通させるための半田付け作業、並びに半田付け箇所の検査作業等が不要となる。
【００１９】
前記ハウジングとシェルの間に、シェルの他端が前記オフセット位置を越えて回動するのを規制するストッパが設けられていることが望ましい。ストッパによって、シェルの開き角度を常に一定に保持することができるからである。
【００２０】
前記ハウジングには複数の装着孔が設けられ、前記各ターミナルの基端部は前記装着孔にそれぞれ圧入され、前記基端部には前記装着孔に対する抜け止め用のランスが設けられていることが望ましい。このようにすれば、各ターミナルのハウジングからの抜け止め機能を格段に向上させることができる。
【００２１】
一方、本発明に係るカードコネクタは、絶縁性のハウジングと、一端が前記ハウジングにヒンジ部を介して結合され、他端がカードの装着位置に対応するセット位置とカードの挿抜位置に対応するオフセット位置との間で回動可能に設けられたシェルと、前記シェルの他端側に設けられ、シェル内へカードを挿入するためのカード挿入口と、前記ハウジングに装着され、前記カードの挿入されたシェルの他端がカードのオフセット位置からセット位置へ回動する途中でカードのコンタクトに順次接触する複数のターミナルと、を備えている。
【００２２】
この発明によれば、複数のターミナルはカードのオフセット位置からセット位置へ回動する途中でカードのコンタクトに順次接触するので、ターミナルとコンタクトとが接触する順番を設定することができる。
【００２３】
ここで、前記シェルには、前記グランドターミナルに接触してシェルの他端を前記オフセット位置に保持するばね片が設けられていることが望ましい。また、前記シェルが導電性の金属板で形成され、前記ばね片が前記シェルからの切り起こし片で形成されていることが望ましい。
【００２４】
前記各ターミナルは、グランドターミナルと、信号ターミナルと、検出ターミナルとを有し、前記グランドターミナルに前記ばね片が最初に接触した後に、前記カードのコンタクトが前記信号ターミナルに接触することが望ましい。この構成とすることで、信号ターミナルがグランドターミナルよりも先にカードのコンタクトに接触しないようにすることができる。
【００２５】
前記各ターミナルには、カードを挿入したシェルの他端が前記セット位置にあるとき、前記ハウジングを搭載した回路基板に導通する接点部が設けられていることが望ましい。
【００２６】
前記シェルには、シェルの一部がシェルの内部に突出し、シェル内へのカード誤挿入時にカードの進入を制限するカード誤挿入防止部が設けられていることが望ましい。シェルの一部がシェルの内部に突出する部分を設けることで、特別な部品を使用することなく、カード誤挿入防止部を構成することができる。
【００２７】
前記ヒンジ部は、ハウジングの側面から突出する軸ピンと、前記シェルから突出し、前記軸ピンが貫通するピン穴を有するアーム部と、前記ハウジングを回路基板に固定するビスの頭部とを含み、前記頭部は前記アーム部が前記軸ピンから離脱するのを阻止するストッパ部を兼ねた構成とすることもできる。このように構成すれば、ヒンジ部の組立を容易にし、かつ、ビスの頭部でヒンジ部の機能を保護する構成とすることができる。
【００２８】
【発明の実施の形態】
以下、本発明をメモリカード（メモリスティック）用のコネクタに適用した実施の形態について説明する。図１及び図２は本発明の実施の形態に係るカードコネクタの斜視図である。図３は同実施の形態に係るカードコネクタの内部の斜視図である。
【００２９】
このカードコネクタ１は、全体として平面ほぼ矩形に形成されている。カードコネクタ１は、図１〜図４に示すように、ハウジングＨと、ハウジングＨに設けられたシェルＳと、ハウジングＨ内に装着された複数のターミナルＴ（Ｔ１〜Ｔ３）とを備えている。カードコネクタ１は、回路基板ＣＢに搭載されている。
【００３０】
ハウジングＨは、合成樹脂等の絶縁性材料で形成されている。シェルＳは、導電性金属板の曲げ加工やプレス加工等で形成されている。ターミナルＴも、同様に導電性金属板の曲げ加工やプレス加工等で形成されている。
【００３１】
シェルＳは、一端及び他端を有し、一端がハウジングＨにヒンジ部２を介して結合され、他端がヒンジ部２を中心に往復回動可能に設けられている。このシェルＳの他端（以下、自由端と呼ぶ）には、シェルＳ内へカードＣを挿入するためのカード挿入口３が設けられている。このカード挿入口３は、シェルＳの自由端側の開口部で形成されている。
【００３２】
シェルＳは、平坦な天板部４と、溝状に形成された両側のカードガイド部５，５と、シェルＳの一端側に設けられた左右一対のアーム部６，６とを有する。アーム部６，６はシェルＳの一端側から突出する形態で設けられている。
【００３３】
このアーム部６，６の先端近くには、ピン穴７（図５（ｂ）参照）がそれぞれ設けられている。ハウジングＨには、前記ピン穴７にそれぞれ挿入される軸ピン（ボス）８が設けられている。従って、ヒンジ部２は、軸ピン８と、ピン穴７を有するアーム部６とで構成されている。勿論、ピン穴７をハウジングＨに設け、軸ピン８をアーム部６に設けることもできる。
【００３４】
シェルＳには、シェルＳの自由端（カード挿入口３）とハウジングＨとの間隔を一定に保持するばね片９，９が設けられている。ばね片９は、シェルＳの天板部４の切り起こしで形成されている。ばね片９は、左右（シェルの幅方向）に間隔をおいて二つ形成されている。
【００３５】
二つのばね片９は、それぞれが対応するターミナルＴに接触している。図３に示す例では、１０個のターミナルＴがハウジングＨに装着されている。これらのターミナルのうち、両サイドに位置するターミナルＴ１，Ｔ１に対してばね片９，９がそれぞれ接触するように構成されている。この両サイドに位置するターミナルＴ１，Ｔ１はグランドターミナルに対応している。
【００３６】
ハウジングＨは、シェルＳに比べて、その長さ寸法Ｌが短く形成されている。ハウジングＨは、底板１０と、前壁１１と、左右の側壁１２，１２とを有し、全体が合成樹脂で一体に形成されている。ハウジングＨの前壁１１には複数の装着孔１１ａが設けられている。各ターミナルＴ（Ｔ１，Ｔ２，Ｔ３）の基端部２１が装着孔１１ａにそれぞれ圧入されることで、各ターミナルＴがハウジングＨに装着されている。
【００３７】
ターミナルＴは、図４（ｃ）に示すように、細い帯板材が曲げ加工された形状である。具体的には、ターミナルＴは、ハウジングＨの底板１０に沿って延びるターミナル本体２０と、ターミナル本体２０の一端側に設けられた前記基端部２１と、先端が折り返されて弾性が付与された接触片２２とを有している。接触片２２には、基端部２１側へ向かうに従って高くなる傾斜が付けられている。
【００３８】
基端部２１はハウジングＨの装着孔１１ａに圧入される部分である。各装着孔１１ａは、前壁１１の上部に設けられている。従って、基端部２１とターミナル本体２０との間には、両者間の高さギャップを調整する立ち上がり部２３が形成されている。基端部２１には、その基端部２１を装着孔１１ａに圧入したときに機能する抜け止め用のランス２４が設けられている。
【００３９】
各ターミナルＴのターミナル本体２０には、回路基板ＣＢに対する接点部２５がそれぞれ設けられている。ターミナル本体２０の一部がＶ形状に曲げられることで、接点部２５がターミナル本体部２０と一体に形成されている。この接点部２５は接触片２２の直下に設けられている。
【００４０】
ハウジングＨの底板１０には、各ターミナルＴに対応する位置にスリット１４が設けられている。スリット１４の数はターミナルの数に対応している。各スリット１４の幅寸法は、ターミナルＴの幅寸法よりも僅かに大きく形成されている。これにより、各ターミナルＴの接点部２５が、対応するスリット１４を通過して回路基板ＣＢ側へ変位できる構成としている。
【００４１】
シェルＳの自由端は、カードＣの装着位置に対応するセット位置（図１０（ｃ）参照）と、カードＣの挿抜位置に対応するオフセット位置（図１０（ａ）参照）との間で回動可能に構成されている。カードＣのセット位置は、シェルＳに挿入されたカードＣが回路基板ＣＢとほぼ平行な状態に対応している。カードＣのオフセット位置は、シェルＳの自由端が回路基板ＣＢから離れ、シェルＳが傾斜した状態に対応している。このオフセット位置では、シェルＳに対するカードＣの挿入、抜き出しを自由に行うことができる。
【００４２】
このカードコネクタ１では、図１及び図１０（ｃ）に示すように、シェルＳにカードＣを挿入し、シェルＳをカードＣのセット位置に回動させた状態では、各ターミナルＴの接点部２５が回路基板ＣＢに接触する構成としている。回路基板ＣＢの表面には、各接点部２５と対応する位置に半田バンプ等の接点用導体（図示せず）が設けられている。これにより、各ターミナルＴと回路基板ＣＢとの電気的接続が確保されるように配慮している。
【００４３】
カードＣとターミナルＴとの導通は、ターミナルＴの接触片２２がカードＣのコンタクト３０に接触することで行われる。シェルＳの自由端が回路基板ＣＢから離れたオフセット位置では、各ターミナルＴの接点部２５が回路基板ＣＢの接点用導体から離れる。これにより、各ターミナルＴと回路基板ＣＢとの電気的接続が解放されるように配慮している。
【００４４】
ハウジングＨとシェルＳの間に、シェルＳの自由端がオフセット位置を越えて回動するのを規制するストッパ１５が設けられている。このストッパ１５は、図５（ｂ）に示すように、ハウジングＨの側壁上部から突出した突起で構成されている。ストッパ１５によって、シェルＳの開き角度を常に一定に保持できるようにするためである。
【００４５】
各ターミナルＴは、アース用のグランドターミナルＴ１と、信号経路となる信号ターミナルＴ２と、シェルＳの開閉等を検知するための検出ターミナルＴ３とに区別されている。この三種類のターミナルについては、図３に示すように矢印Ａ方向から、１番目と１０番目のターミナルＴ１がグランドターミナルとして、６番目のターミナルＴ３が検出ターミナルとして、残りのターミナルＴ２が信号ターミナルとして利用可能に設計されている。
【００４６】
この三種類のターミナルＴ１，Ｔ２，Ｔ３は、図６に示すように、カードＣのコンタクト部３０と接触するタイミングがそれぞれ相違する構成としている。即ち、三種類のターミナルＴ１，Ｔ２，Ｔ３は、カードＣの挿入されたシェルＳの自由端がカードＣのオフセット位置からセット位置へ回動する途中で、カードＣの対応するコンタクト３０に順次接触する構成としている。
【００４７】
図６（ａ）には、グランドターミナルＴ１の構成が示されている。グランドターミナルＴ１の接触片２２の頂点ｘと、シェルＳの天板４から下方へ延びる奥壁ｙとの間隔をα１で示す。頂点ｘと、カードＣのコンタクト３０の先端ｚとの間隔をβ１で示す。
【００４８】
図６（ｂ）には、信号ターミナルＴ２の構成が示されている。信号ターミナルＴ２の接触片２２の頂点ｘと、シェルＳの天板４から下方へ延びる奥壁ｙとの間隔をα２で示す。頂点ｘと、カードＣのコンタクト３０の先端ｚとの間隔をβ２で示す。
【００４９】
図６（ｃ）には、検出ターミナルＴ３の構成が示されている。検出ターミナルＴ３の接触片２２の頂点ｘと、シェルＳの天板４から下方へ延びる奥壁ｙとの間隔をα３で示す。頂点ｘと、カードＣのコンタクト３０の先端ｚとの間隔をβ３で示す。
【００５０】
この実施の形態において、α１、α２、及びα３は、α１＜α２＜α３の関係を満たすように構成されている。さらに、β１、β２、及びβ３は、β１＜β２＜β３の関係を満たすように構成されている。
【００５１】
この構成により、カードＣが挿入されたシェルＳを、オフセット位置からセット位置に回動させる途中で、最初にグランドターミナルＴ１がカードＣの対応するコンタクト３０に接触する。次に、信号ターミナルＴ２が対応するコンタクト３０に接触する。最後に、検出ターミナルＴ３が対応するコンタクト３０に接触する。なお、シェルＳ内へカードＣが挿入されると、ばね片９，９とグランドターミナルＴ１，Ｔ１の接触が解除される。このとき、各ばね片９，９はカードＣの表面に接触する。
【００５２】
カードＣが挿入されていないときの、各ターミナルの頂点ｘとシェルＳの内面との間隔γは、カードＣの先端部の厚さ（カードＣの表面とコンタクト３０間の厚さ）ｄよりも小さく形成されている（図１０（ｂ参照））。これにより、各ターミナルＴ１、Ｔ２、Ｔ３がカードＣの対応するコンタクト３０に接触した状態となるセット位置で、各ターミナルの接点部２５が回路基板ＣＢの接点用導体に確実に接触する構成としている。
【００５３】
シェルＳには、シェル内へのカード誤挿入時にカードＣの進入を制限するカード誤挿入防止部５０が設けられている。カード誤挿入防止部５０は、シェルＳの一部がシェルの内部に突出する部分で形成されている。このカード誤挿入防止部５０の構成は図７及び図８に示されている。カードの誤挿入態様については、主に次の二種類が想定される。一つは、前後逆挿入である。他の一つは表裏逆挿入である。
【００５４】
これらの誤挿入を防止するための具体的構成として、カードガイド部５，５の溝幅を途中で変化させている。即ち、カードガイド部５，５の途中（終端近く）に、カード誤挿入防止部５０を構成する細溝ガイド部５ａ（一方のみ図示）をそれぞれ設けている。この細溝ガイド部５ａは、カードガイド部５に沿って案内されるカードＣがそれ以上に進入できない溝幅としたものである。この細溝ガイド部５ａは、カードＣの端部がハウジングＨの各ターミナルに到達する前の位置に設けられている。
【００５５】
この細溝ガイド部５ａと、カードガイド部５との間にはスロット５ｂが設けられている。その結果、カードＣが誤挿入されると、カードＣの先端がスロット５ｂに達した時点で、カードＣの先端の一部Ｃ１がスロット５ｂから突出するように構成されている。従って、カード誤挿入防止部５０は、細溝ガイド部５ａとスロット５ｂとで構成されている。図７では、カードＣをシェルＳに前後逆挿入した例を示している。図８では、カードＣをシェルＳに表裏逆挿入した例を示している。
【００５６】
ハウジングＨの両側には、ビス穴１６ａ付きのフランジ１６，１６が設けられている。ハウジングＨは、このビス穴１６ａに通したビス１７で、回路基板ＣＢに固定されている。フランジ１６は、シェルＳのアーム部６の直下に設けられている。さらに、図１に示すように、ビス１７を回路基板ＣＢにねじ込んだ状態では、ビス１７の頭部１７ａがアーム部６の外側に位置決めされるように設定されている。しかも、頭部１７ａとアーム部６とは極めて接近又は接触した形態となるように配慮されている。
【００５７】
例えば、頭部１７ａとアーム部６との間隔は、軸ピン８の長さよりも小さい間隔に設定されている。これにより、アーム部６のピン穴７と軸ピン８との結合状態が保持されるように配慮されている。従って、ヒンジ部２は、この実施の形態では、ハウジングＨの側面から突出する軸ピン８と、シェルＳから突出し、軸ピン８が貫通するピン穴７を有するアーム部６と、ハウジングＨを回路基板ＣＢに固定するビス１７の頭部１７ａとを含む構成である。
【００５８】
さらに、頭部１７ａは、アーム部６が軸ピン８から離脱するのを阻止するストッパ部を兼ねた構成である。このように構成すれば、ヒンジ部２の組立を容易にし、かつ、ビス１７の頭部１７ａでヒンジ部２の機能を保護する構成とすることができる。
【００５９】
この実施の形態によれば、シェルＳに設けられたばね片９，９が、両側のターミナルＴ１，Ｔ１にそれぞれ接触してシェルＳの自由端とハウジングＨとの間隔を一定に保持する。ばね片９，９がターミナルＴ１，Ｔ１に接触することで、ばね片９の反発力とターミナルＴ１の反発力の両方を機能させて、シェルＳの自由端とハウジングＨとの間隔を一定に保持することができる。
【００６０】
また、ばね片９が接触するターミナルＴ１をグランドターミナルとすれば、カードＣの静電気事故防止機能を確実かつ効果的に発揮させることができる。また、ヒンジ部２を中心にしてシェルＳの自由端が回動することで、コネクタＣの各ターミナルＴ１，Ｔ２，Ｔ３とカードＣのコンタクト３０とが接触する。その結果、接触部の耐久性向上にも配慮することができる。即ち、カードＣのコンタクト３０が上方からコネクタの各ターミナルＴ１、Ｔ２、Ｔ３を押し付けるようにして接触するため、従来のようにカードＣを基板ＣＢと水平な方向から挿入しカードＣのコンタクトとコネクタのコンタクトがこすり合うように接触することがない。
【００６１】
シェルＳの自由端は、カードＣの装着位置に対応するセット位置と、カードＣの挿抜位置に対応するオフセット位置との間で回動可能にしている。このようにすることで、シェルＳの回動範囲を、カードＣのセットとオフセットに必要な最小の範囲に制限することができる。これにより、カードコネクタ１の小型化、コンパクト化を図りやすくなる。
【００６２】
また、ばね片９をシェルＳからの切り起こし片で形成することで、ばね片９を別部材とする場合に比べて、その構成及び製作を簡素化することができる。ばね片９をシェルＳの幅方向に間隔をおいて複数設けることで、シェルＳを複数のばね片９で確実かつ安定に支持することができる。
【００６３】
また、ばね片９と接触するターミナルをグランドターミナルＴ１とすることで、ばね片９を介してシェルＳをグランドターミナルＴ１に常時接触させておくことができる。これにより、常にシェルＳをグランドターミナルＴ１と同電位にすることができる。
【００６４】
各ターミナルには、カードＣを挿入したシェルＳの他端がセット位置にあるとき、ハウジングＨを搭載した回路基板ＣＢに導通する接点部２５を設けている。これにより、シェルＳにカードＣを挿入する操作と、シェルＳの自由端をセット位置に回動させる操作とで、各ターミナルと回路基板とを導通させることができる。従って、ターミナルと回路基板とを導通させるための半田付け作業、並びに半田付け箇所の検査作業等が不要となる。
【００６５】
また、ハウジングＨとシェルＳの間に、シェルＳの自由端がオフセット位置を越えて回動するのを規制するストッパ１５を設けたことで、シェルＳの開き角度を常に一定に保持することができる。
【００６６】
ハウジングＨには複数の装着孔１１ａが設けられ、各ターミナルＴの基端部２１は装着孔１１ａにそれぞれ圧入され、基端部２１には装着孔１１ａに対する抜け止め用のランス２４が設けられている。これにより、各ターミナルＴのハウジングＨからの抜け止め機能を格段に向上させることができる。
【００６７】
一方、この実施の形態に係るカードコネクタによれば、複数のターミナルはカードのオフセット位置からセット位置へ回動する途中でカードＣのコンタクト３０に順次接触するので、ターミナルＴとコンタクト３０とが接触する順番を設定することができる。
【００６８】
各ターミナルＴに関しては、グランドターミナルＴ１にばね片９が最初に接触した後に、カードＣのコンタクト３０が信号ターミナルＴ２に接触することが望ましい。この構成とすることで、信号ターミナルＴ２がグランドターミナルＴ１よりも先にカードＣのコンタクト３０に接触しないようにすることができる。
【００６９】
各ターミナルＴには、カードＣを挿入したシェルＳの自由端がセット位置にあるとき、ハウジングＨを搭載した回路基板ＣＢに導通する接点部２５が設けられていることが望ましい。
【００７０】
【発明の効果】
以上のように、本発明のカードコネクタによれば、小型化、薄型化のニーズに対応しつつ、カードの静電気事故防止機能を効果的に発揮させることができ、接触部の耐久性向上並びにコネクタの生産性向上等にも配慮したカードコネクタを提供することができる。
【図面の簡単な説明】
【図１】本発明に係るカードコネクタの斜視図である。
【図２】本発明に係るカードコネクタを示すもので、（ａ）はカード未挿入状態の斜視図、（ｂ）はカード挿入状態の斜視図である。
【図３】本発明に係るカードコネクタをシェルの自由端側から見た斜視図である。
【図４】本発明に係るカードコネクタを示すもので、（ａ）はカードコネクタ全体の斜視図、（ｂ）は（ａ）の部分拡大図、（ｃ）はターミナルの拡大斜視図である。
【図５】本発明に係るカードコネクタを示すもので、（ａ）はカードコネクタ全体の斜視図、（ｂ）は（ａ）の部分拡大図である。
【図６】本発明に係るカードコネクタであり、（ａ）はグランドターミナルとカードとの関係を示す部分断面図、（ｂ）は信号ターミナルとカードとの関係を示す部分断面図、（ｃ）は検出ターミナルとカードとの関係を示す部分断面図である。
【図７】本発明に係るカードコネクタ使用例を示すもので、（ａ）はカードコネクタ全体の斜視図、（ｂ）は（ａ）の部分拡大図である。
【図８】本発明に係るカードコネクタの他の使用例を示すもので、（ａ）はカードコネクタ全体の斜視図、（ｂ）は（ａ）の部分拡大図である。
【図９】本発明に係るカードコネクタを示すもので、（ａ）はカードコネクタの全体斜視図、（ｂ）は（ａ）の部分拡大図である。
【図１０】本発明に係るカードコネクタの作用を説明するために示したもので、（ａ）はカードのオフセット位置を示す斜視図、（ｂ）はカード挿入状態を示す斜視図、（ｃ）はカードのセット位置を示す斜視図である。
【符号の説明】
１  カードコネクタ
２  ヒンジ部
３  カード挿入口
４  天板部
５  カードガイド部
５ａ  細溝ガイド部
５ｂ  スロット
６  アーム部
７  ピン穴
８  軸ピン（ボス部）
９  ばね片
１０  底板
１１  前壁
１１ａ  装着孔
１２  側壁
１５  ストッパ
１６  フランジ
１６ａ  ビス穴
１７  ビス
１７ａ  頭部
２０  ターミナル本体
２１  基端部
２２  接触片
２３  立ち上がり片
２４  ランス
２５  接点部
５０  カード誤挿入防止部
Ｓ  シェル
Ｈ  ハウジング
Ｔ  ターミナル
ＣＢ  回路基板
Ｃ  カード
Ｃ１  先端の一部
ｘ  頂点
ｙ  奥壁
ｚ  先端
【図１】
0004005376.tif 000002
【図２】
0004005376.tif 000003
【図３】
0004005376.tif 000004
【図４】
0004005376.tif 000005
【図５】
0004005376.tif 000006
【図６】
0004005376.tif 000007
【図７】
0004005376.tif 000008
【図８】
0004005376.tif 000009
【図９】
0004005376.tif 000010
【図１０】
0004005376.tif 000011